【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】
静磁場中に置かれた被検体に位相エンコードステップを間引いて傾斜磁場および高周波磁場を所定のパルスシーケンスで印加する磁場発生手段と、前記被検体から発生する核磁気共鳴信号を受信する複数のＲＦ受信コイルから成る受信コイル群と、前記核磁気共鳴信号を処理し画像再構成する画像再構成手段とを備え、
前記受信コイル群は、前記被検体の検査部位に高感度領域を有する少なくとも1つの主ＲＦ受信コイルと、直交する少なくとも２方向にそれぞれ前記検査部位を挟んで対向配置された１組当たり少なくとも２つの副ＲＦ受信コイルから成る少なくとも２組の副ＲＦ受信コイル群とを含み、前記各副ＲＦ受信コイルの高感度領域が前記主ＲＦ受信コイルの高感度領域よりも狭く形成されてなり、
前記画像再構成手段は、前記主ＲＦ受信コイル及び少なくとも位相エンコード方向に対向配置された少なくとも1組の各副ＲＦ受信コイルが受信した核磁気共鳴信号とそれらのＲＦ受信コイルの感度分布を用いて、折り返しのない画像を取得する磁気共鳴イメージング装置。
【請求項２】
前記副ＲＦ受信コイル群が、直交する３方向に３組配置されて成ることを特徴とする請求項１に記載の磁気共鳴イメージング装置。
【請求項３】
静磁場中に置かれた被検体に位相エンコードステップを間引いて傾斜磁場および高周波磁場を所定のパルスシーケンスで印加する磁場発生手段と、前記被検体から発生する核磁気共鳴信号を受信する複数のＲＦ受信コイルから成る受信コイル群と、前記核磁気共鳴信号を処理し画像再構成する画像再構成手段とを備え、
前記受信コイル群は、直交する少なくとも２方向にそれぞれ配置された少なくとも３個のＲＦ受信コイルを含んで成り、前記２方向のいずれか1方向を位相エンコード方向に設定するとともに、
前記画像再構成手段は、前記ＲＦ受信コイルのうち位相エンコード方向に配置された前記少なくとも３個のＲＦ受信コイルが受信した磁気共鳴信号及びこれらのＲＦ受信コイルの感度分布を用いた演算により前記画像の折り返しを除去する手段を有する磁気共鳴イメージング装置。
【請求項４】
前記少なくとも３個のコイルは、前記被検体の検査部位に配置される主ＲＦ受信コイルと、該検査部位を挟んで対向配置される少なくとも２つの副ＲＦ受信コイルとを有し、該副ＲＦ受信コイルの感度領域は、前記主ＲＦ受信コイルの感度領域よりも狭いことを特徴とする請求項３に記載の磁気共鳴イメージング装置。
【請求項５】
前記各副ＲＦ受信コイルは、その感度領域を前記主ＲＦ受信コイルの感度領域の少なくとも端部で重ならせて配置されて成ることを特徴とする請求項１、２、４のいずれか１項に記載の磁気共鳴イメージング装置。
【請求項６】
前記主ＲＦ受信コイルは、直交検波コイルであることを特徴とする請求項１、２、４、５のいずれか１項に記載の磁気共鳴イメージング装置。
【請求項７】
静磁場中に置かれた被検体に位相エンコードステップを間引いて傾斜磁場および高周波磁場を所定のパルスシーケンスで印加する磁場発生手段と、前記被検体から発生する核磁気共鳴信号を受信する複数のＲＦ受信コイルから成る受信コイル群と、前記核磁気共鳴信号を処理し画像再構成する画像再構成手段とを備え、
前記受信コイル群は、第１の方向に配列され、互いに感度分布または感度領域が異なる複数の第１ＲＦ受信コイルと、前記第１の方向と異なる方向のコイル軸を有して、前記複数の第１ＲＦ受信コイルの各々と感度分布または感度領域が異なる少なくとも１つのＲＦ受信コイルを有して成り、
前記画像再構成手段は、位相エンコード方向として選択された方向に配列されている少なくとも２つの受信コイルが受信した核磁気共鳴信号とそれらのＲＦ受信コイルの感度分布を用いて、折り返しのない画像を取得する磁気共鳴イメージング装置。
【請求項８】
前記少なくとも１つのＲＦ受信コイルは、前記第１の方向に直交する少なくとも１方向に、前記被検体の検査部位を挟んで対向配置された少なくとも２つのＲＦ受信コイルから成る少なくとも１つの受信コイル組を含むことを特徴とする請求項７記載の磁気共鳴イメージング装置。
【請求項９】
少なくとも１つの主ＲＦ受信コイルと、前記主ＲＦ受信コイルを挟む位置に対向させて配置された1組当たり少なくとも２つの副ＲＦ受信コイルから成る少なくとも２組の副ＲＦ受信コイル群とを有し、前記少なくとも２組の副ＲＦ受信コイル群は互いに直交する少なくとも２方向に配置されて成る磁気共鳴イメージング装置用受信コイル装置。
【請求項１０】
前記主ＲＦ受信コイルは、検査部位全体をカバーする大きさの感度領域を有し、前記各副ＲＦ受信コイルは、前記主ＲＦ受信コイルの感度領域よりも狭い感度領域を有することを特徴とする請求項９に記載の磁気共鳴イメージング装置用受信コイル装置。
【請求項１１】
前記主ＲＦ受信コイルは、直交検波コイルであることを特徴とする請求項９に記載の磁気共鳴イメージング装置用受信コイル装置。
【請求項１２】
対向配置された少なくとも２つのＲＦ受信コイルから成るコイル組を、直交する３方向に配列して成る磁気共鳴イメージング装置用受信コイル装置。
【請求項１３】
コイル軸を直交させて配置された２つの第１ＲＦ受信コイルと、該２つの第１ＲＦ受信コイルにコイル軸を直交させて、かつ該２つの第１ＲＦ受信コイルを挟んで対向配置された２つの第２ＲＦ受信コイルとから成る磁気共鳴イメージング装置用受信コイル装置。
【請求項１４】
コイル軸を直交させて配置された２つの第１ＲＦ受信コイルと、２つの第１ＲＦ受信コイルにコイル軸を直交させて、該２つの第１ＲＦ受信コイルを挟んで対向配置された２つの第２ＲＦ受信コイルと、前記第１ＲＦ受信コイルの少なくとも一方のコイル軸の方向に当該第１ＲＦ受信コイルを挟んで対向配置された２つの第３ＲＦ受信コイルとから成る磁気共鳴イメージング装置用受信コイル装置。
【請求項１５】
少なくとも１つのＲＦ受信コイルと、受信コイル組とを有し、前記受信コイル組は前記少なくとも１つのＲＦ受信コイルのコイル軸と異なる第１の方向に配置された少なくとも２つのＲＦ受信コイルを有し、各受信コイルは互いに感度分布または感度領域が異なる磁気共鳴イメージング装置用受信コイル装置。
【請求項１６】
前記少なくとも１つのＲＦ受信コイルは、検査部位全体をカバーする大きさの感度領域を有し、前記受信コイル組の各ＲＦ受信コイルは、前記少なくとも１つのＲＦ受信コイルの感度分布よりも狭い感度分布を有することを特徴とする請求項１５に記載の磁気共鳴イメージング装置用受信コイル装置。
【請求項１７】
前記少なくとも１つのＲＦ受信コイルは、前記受信コイル組の間に挟まれてコイル軸を直交させて配置された２つの主ＲＦ受信コイルを有する請求項１５に記載の磁気共鳴イメージング装置用受信コイル装置。
【手続補正２】
【補正対象書類名】明細書
【補正対象項目名】００１０
【補正方法】変更
【補正の内容】
【００１０】
即ち、本発明のＭＲＩ装置は、静磁場中に置かれた被検体に位相エンコードステップを間引いて傾斜磁場および高周波磁場を所定のパルスシーケンスで印加する磁場発生手段と、前記被検体から発生する核磁気共鳴信号を受信する複数のＲＦ受信コイルから成る受信コイル群と、前記核磁気共鳴信号を処理し画像再構成する画像再構成手段とを備え、前記受信コイル群は、前記被検体の検査部位に高感度領域を有する少なくとも1つの主ＲＦ受信コイルと、直交する少なくとも２方向にそれぞれ前記検査部位を挟んで対向配置された１組当たり少なくとも２つの副ＲＦ受信コイルから成る少なくとも２組の副ＲＦ受信コイル群とを含み、前記各副ＲＦ受信コイルの高感度領域が前記主ＲＦ受信コイルの高感度領域よりも狭く形成されてなり、前記画像再構成手段は、前記主ＲＦ受信コイル及び少なくとも位相エンコード方向に対向配置された少なくとも1組の各副ＲＦ受信コイルが受信した核磁気共鳴信号とそれらのＲＦ受信コイルの感度分布を用いて、折り返しのない画像を取得する。
また本発明のＭＲＩ装置は、静磁場中に置かれた被検体に位相エンコードステップを間引いて傾斜磁場および高周波磁場を所定のパルスシーケンスで印加する磁場発生手段と、前記被検体から発生する核磁気共鳴信号を受信する複数のＲＦ受信コイルから成る受信コイル群と、前記核磁気共鳴信号を処理し画像再構成する画像再構成手段とを備え、前記受信コイル群は、第１の方向に配列され、互いに感度分布または感度領域が異なる複数の第１ＲＦ受信コイルと、前記第１の方向と異なる方向のコイル軸を有して、前記複数の第１ＲＦ受信コイルの各々と感度分布または感度領域が異なる少なくとも１つのＲＦ受信コイルを有して成り、前記画像再構成手段は、位相エンコード方向として選択された方向に配列されている少なくとも２つの受信コイルが受信した核磁気共鳴信号とそれらのＲＦ受信コイルの感度分布を用いて、折り返しのない画像を取得する。
さらに本発明のＭＲＩ装置は、静磁場中に置かれた被検体に傾斜磁場および高周波磁場を所定のパルスシーケンスで印加する磁場発生手段と、前記被検体から発生する核磁気共鳴信号を受信する複数のＲＦ受信コイルからなる受信手段と、前記核磁気共鳴信号を処理し画像再構成する画像再構成手段とを備えたＭＲＩ装置において、前記受信手段は、互いに直交する３方向に配置された、少なくとも３組のＲＦ受信コイルからなり、前記画像再構成手段は、前記ＲＦ受信コイルのうち位相エンコード方向によって定まる組み合わせについて、各ＲＦ受信コイルが受信した核磁気共鳴信号を用いて折り返しの発生した画像を形成すると共に、各ＲＦ受信コイルの感度分布を用いた演算により、画像の折り返しを除去し、合成する手段を有することを特徴とする。
【手続補正３】
【補正対象書類名】明細書
【補正対象項目名】００１６
【補正方法】変更
【補正の内容】
【００１６】
本発明のＭＲＩ装置用受信コイル装置は、少なくとも１つの主ＲＦ受信コイルと、前記主ＲＦ受信コイルを挟む位置に対向させて配置された1組当たり少なくとも２つの副ＲＦ受信コイルから成る少なくとも２組の副ＲＦ受信コイル群とを有し、前記少なくとも２組の副ＲＦ受信コイル群は互いに直交する少なくとも２方向に配置されて成る。
また本発明のＭＲＩ装置用受信コイル装置は、対向配置された少なくとも２つのＲＦ受信コイルから成るコイル組を、直交する３方向に配列して成る。
本発明のＭＲＩ装置用受信コイル装置は、コイル軸を直交させて配置された２つの第１ＲＦ受信コイルと、該２つの第１ＲＦ受信コイルにコイル軸を直交させて、かつ該２つの第１ＲＦ受信コイルを挟んで対向配置された２つの第２ＲＦ受信コイルとから成る。
また本発明のＭＲＩ装置用受信コイル装置は、コイル軸を直交させて配置された２つの第１ＲＦ受信コイルと、２つの第１ＲＦ受信コイルにコイル軸を直交させて、該２つの第１ＲＦ受信コイルを挟んで対向配置された２つの第２ＲＦ受信コイルと、前記第１ＲＦ受信コイルの少なくとも一方のコイル軸の方向に当該第１ＲＦ受信コイルを挟んで対向配置された２つの第３ＲＦ受信コイルとから成る。
また本発明のＭＲＩ装置用受信コイル装置は、少なくとも１つのＲＦ受信コイルと、受信コイル組とを有し、前記受信コイル組は前記少なくとも１つのＲＦ受信コイルのコイル軸と異なる第１の方向に配置された少なくとも２つのＲＦ受信コイルを有し、各受信コイルは互いに感度分布または感度領域が異なる。
さらに本発明のＭＲＩ装置用受信コイルは、視野範囲が、ほぼ検査部位全体をカバーする比較的大視野のＱＤコイルと、視野範囲が前記検査部位の一部をカバーする比較的小視野のＲＦ受信コイルとを組み合わせたものからなり、比較的小視野のＲＦ受信コイルは、互いに直交する３軸方向の磁場を検出するように配置されている。
このように異なるコイルの組み合わせにより、パラレルＭＲＩを始め、種々のＭＲＩ法において高画質の画像の取得を可能にすることができる。